(57)【要約】【課題】  スリープ状態から実際に印字可能な状態へと復帰する際の復帰時間を短縮することが可能なプリンタ装置を提供する。【解決手段】  リリースレバー状態監視部がスリープ中におけるリリースレバーの開閉状態を監視して所定の記憶手段に記憶し、スリープ中にリリースレバーが常に閉じられた状態にあった場合は用紙のずれおよび斜行検知の処理を省略するように制御を行うことで、スリープ状態から実際に印字可能な状態へと復帰する際の復帰時間を短縮することが可能となる。【選択図】  図６
2007130923.tif 000002
【特許請求の範囲】
【請求項１】
装置を構成する各部への電力供給を必要に応じて停止することによって低消費電力動作が可能なプリンタ装置であって、
記録媒体を記録可能な位置に保持し、かつ記録媒体搬送時の搬送方向のずれを抑制するための記録媒体保持機構を有し、
前記記録媒体保持機構は、記録媒体を保持する状態と、保持が解除された状態の２つの状態をとることが可能となっており、
加えて前記記録媒体保持機構が記録媒体を保持する状態にあるか、保持が解除された状態にあるかを検知する保持状態検知手段と、
前記低消費電力動作中に、前記保持状態検知手段の検知結果を監視する保持状態監視手段と、
前記保持状態監視手段の監視結果を記憶する保持状態記憶手段と、
前記保持状態記憶手段の記憶内容に基づき、前記低消費電力動作中に記録媒体の保持が解除された状態にあったか否かを判定する手段を有し、記録媒体の保持が解除された状態になかった場合は、前記低消費電力動作状態から通常の動作状態に復帰する際に、特定の処理を実行しないように制御することを特徴とする、プリンタ装置。
【請求項２】
前記プリンタ装置は、ホスト機器から印刷用のデータを受信し、受信データを印刷可能なデータ形式に変換すると共に装置全体の制御を行うシステム制御部と、
記録動作の制御、記録媒体の供給、搬送、排出といった機械的な制御を行うエンジン制御部と、
前記低消費電力動作に入る前に、少なくとも前記エンジン制御部への電力供給を、前記システム制御部から停止するように制御される電力供給部とを有し、
加えて前記低消費電力動作中においても前記保持状態検知手段および前記保持状態監視手段に対しては電力供給を行う構成となっていることを特徴とする、請求項１に記載のプリンタ装置。
【請求項３】
前記特定の処理とは、用紙位置のずれ、および斜行を検知するための処理であることを特徴とする、請求項１ないし２に記載のプリンタ装置。
【請求項４】
前記記録媒体として、ロール状の記録媒体を利用可能であることを特徴とする請求項１ないし３に記載のプリンタ装置。
【請求項５】
前記プリンタ装置は、複数のインク吐出部を有する記録ヘッドを記録媒体上に走査させ、前記ホスト機器から供給される画像データに基づいて前記記録ヘッドから記録媒体上にインクを吐出させて画像を形成するインクジェット記録方式を用いたものであることを特徴とする、請求項１ないし４に記載のプリンタ装置。
【発明の詳細な説明】
【技術分野】
【０００１】
本発明は、記録媒体上に画像形成を行うプリンタ装置に関するもので、特に、プリンタ装置における低消費電力状態からの復帰処理方法に関する。
【背景技術】
【０００２】
従来より、プリンタやスキャナ等のコンピュータ周辺機器では、ホスト機器からのアクセスや、データの処理が行われていないスタンバイ状態が一定時間以上継続すると、自動的に省電力機能を有効化することによって低消費電力状態（スリープ状態）へと移行させる、といったことが行われている。スリープ状態における具体的な電力削減の方法としては、例えば機器を構成する機能ブロック毎に電力の供給／遮断を制御するスイッチを設け、スリープ状態に移行する際に前記スイッチを制御することによって使用しない機能ブロックへの電力供給を遮断するといった方法や、内部回路の動作クロックの周波数を下げる、あるいは動作クロックの供給を停止する、といった方法が、それぞれ単独か、あるいは組み合わせて用いられる。こうした省電力を実現するための技術として、ネットワークを介してホスト機器と接続されるプリンタ装置において、ホスト機器とのインターフェースを制御するコントローラと、画像展開を行うコントローラの二つのコントローラを設け、スリープ時には画像展開用のコントローラとプリントエンジンを停止する構成が示されている（例えば特許文献１参照）。また、ユーザの利便性、生産性を考慮した場合、スリープ状態からの復帰時間が短いことが望ましいが、一般的に電子写真方式のプリンタや複写機などの場合、スリープ状態から復帰する際に定着器の昇温が必要であり、これにかなりの時間が掛かってしまっていた。これに対しては、定着装置の加熱時にのみ使用する補助電源を設け、立ち上がり時間の高速化・省電力化を実現する構成が示されている（例えば特許文献２参照）。
【特許文献１】特開平５−２１２９４２号公報
【特許文献２】特開２０００−３１５５６７号公報
【発明の開示】
【発明が解決しようとする課題】
【０００３】
上述した特許文献１のように、プリンタ装置においては、パーソナルコンピュータ等のホスト機器から印刷用のデータを受信し、受信データを実際の印刷動作を行うプリンタエンジンが印刷可能なデータ形式に変換し、プリンタエンジンへと出力する機能を持つシステムコントローラと、プリンタエンジンの制御、用紙の給紙、搬送、排出といった機械的な制御を行うエンジンコントローラによって構成され、実際に印刷動作を行っていない場合にエンジンコントローラへの電力供給を停止し、省電力状態へ移行するといった構成がしばしば実施される。しかし、こういったスリープ状態においてエンジンコントローラへの電力供給を停止する従来のプリンタ装置では、通常エンジンコントローラに接続されていて、各種機械制御を行うためのセンサーやスイッチ類への電力供給についても同時に停止してしまうため、スリープ中にユーザが用紙の交換等を行おうとして装置の給紙機構部や搬送機構部を動かした場合、装置や用紙の状態の変化を検知することが出来ない。特に、ロール紙やロールフィルム等のロール状の記録媒体を使用可能なプリンタの場合、スリープ中でも記録媒体が搬送機構中に保持されているのが一般的であり、通常の場合記録媒体を記録可能な状態に保持するとともに、印刷中における記録媒体搬送時のずれなどを防ぐための記録媒体保持機構が設けられており、これにより外部から力が加わることによって容易く記録媒体が動いたり、正しい搬送位置からずれてしまうといったことが無いように構成されている。またこうした保持機構は、ユーザによる記録媒体交換時等には保持状態を解除することが通常可能となっている。しかし上述のように、スリープ中にユーザがこうした記録媒体保持機構を解除してしまうと、記録媒体が正しい位置から動いてしまうということが容易に起こってしまう。そのためスリープ状態から復帰する際に、用紙のずれの検知処理を最初から実行することが必要となってしまい、プリンタが印刷可能な状態になるまでの時間が長くかかってしまうという問題点が存在した。こうした問題点は、上述した特許文献１および特許文献２によっても解決されるものではない。特に、ロール紙が利用されることも多い大判出力を行うプリンタではインクや用紙の消費量も多く、印刷が途中で失敗した場合のユーザの損失が大きいことから高精度で用紙のずれや斜行を検知する必要があり、この検知処理を完了するまでの時間が長くなってしまう傾向があった。
【課題を解決するための手段】
【０００４】
前記課題を解決するため、請求項１に記載のプリンタ装置は、装置を構成する各部への電力供給を必要に応じて停止することによって低消費電力動作が可能なプリンタ装置であって、
記録媒体を記録可能な位置に保持し、かつ記録媒体搬送時の搬送方向のずれを抑制するための記録媒体保持機構を有し、
前記記録媒体保持機構は、記録媒体を保持する状態と、保持が解除された状態の２つの状態をとることが可能となっており、
加えて前記記録媒体保持機構が記録媒体を保持する状態にあるか、保持が解除された状態にあるかを検知する保持状態検知手段と、
前記低消費電力動作中に、前記保持状態検知手段の検知結果を監視する保持状態監視手段と、
前記保持状態監視手段の監視結果を記憶する保持状態記憶手段と、
前記保持状態記憶手段の記憶内容に基づき、前記低消費電力動作中に記録媒体の保持が解除された状態にあったか否かを判定する手段を有し、記録媒体の保持が解除された状態になかった場合は、前記低消費電力動作状態から通常の動作状態に復帰する際に、特定の処理を実行しないように制御することを特徴とする。
【０００５】
前記課題を解決するため、請求項２に記載のプリンタ装置は、パーソナルコンピュータ等のホスト機器から印刷用のデータを受信し、受信データを印刷可能なデータ形式に変換すると共に装置全体の制御を行うシステム制御部と、
記録動作の制御、記録媒体の供給、搬送、排出といった機械的な制御を行うエンジン制御部と、
前記低消費電力動作に入る前に、少なくとも前記エンジン制御部への電力供給を、前記システム制御部から停止するように制御される電力供給部とを有し、
加えて前記低消費電力動作中においても前記保持状態検知手段および前記保持状態監視手段に対しては電力供給を行う構成となっていることを特徴とする。
【０００６】
前記課題を解決するため、請求項３に記載のプリンタ装置は、前記プリンタ装置において実行される前記特定の処理が、用紙位置のずれ、および斜行を検知するための処理であることを特徴とする。
【０００７】
前記課題を解決するため、請求項４に記載のプリンタ装置は、前記記録媒体として、ロール状の記録媒体を利用可能であることを特徴とする。
【０００８】
前記課題を解決するため、請求項５に記載のプリンタ装置は、複数のインク吐出部を有する記録ヘッドを記録媒体上に走査させ、前記ホスト機器から供給される画像データに基づいて前記記録ヘッドから記録媒体上にインクを吐出させて画像を形成するインクジェット記録方式を用いたものであることを特徴とする。
【発明の効果】
【０００９】
本発明は、以上で説明したような構成をとることにより、以下に示すような効果をもつ。
【００１０】
すなわち本発明によれば、記録媒体を記録可能な位置に保持すると共に、記録媒体の搬送を精度よく行うための記録媒体保持機構を有するプリンタ装置において、スリープ中におけるリリースレバーの開閉状態を監視・記憶しておき、スリープ中にリリースレバーが常に閉じられた状態にあった場合は用紙のずれおよび斜行検知の処理を省略するように制御を行うことにより、スリープ状態から実際に印字可能な状態へと復帰する際の復帰時間を短縮することが可能となる。こうした制御は、スリープ中でも記録媒体が搬送機構中に保持されているのが一般的である、ロール紙やロールフィルム等のロール状の記録媒体を使用可能なプリンタの場合に特に有効である。
【発明を実施するための最良の形態】
【００１１】
以下、本発明の実施例について、図面を参照しながら説明する。
【００１２】
ここでは本発明におけるプリンタ装置の一例として、インクジェット記録方式を用いたプリンタを例に説明を行う。一般的に、プリンタやファクシミリなどの画像記録装置には、シート状の記録媒体を使用するものとロール上の記録媒体を使用するもの、あるいはそれら両者を使用可能なものが存在するが、ここではロール紙を利用可能なインクジェットプリンタを例に説明する。
【００１３】
図１は、本発明の実施形態におけるインクジェットプリンタ装置（以下、プリンタ）の構成を示すブロック図である。
【００１４】
図１においてプリンタ１００は、システム制御部１０１、ＲＡＭ１０２、ＲＯＭ１０３、画像処理部１０４、操作部１０５、ＥＥＰＲＯＭ１０６、シリアルインターフェース１０７、エンジンインターフェース１０８、プリントエンジン１０９、ホストインターフェース１１０、システムバス１１１、電源部１１２の各部によって構成され、ＥＥＰＲＯＭ１０６、および電源部１１２を除く各ブロックはシステムバス１１０によって相互に接続されている。
【００１５】
システム制御部１０１は、プリンタ１００全体の制御を行う部分であり、マイクロプロセッサやその他の周辺回路などから構成される。システム制御部１０１は後述のＲＯＭ１０３に格納されている動作制御プログラムを実行することにより、ホストコンピュータから受信した印刷データの処理、図１で示す各ブロックに対するアクセス制御等を含めてプリンタ全体の動作を制御するとともに、本発明に記載される処理を実行する。加えてシステム制御部１０１は、内部にタイマ等の計時機能を持つ。
【００１６】
ＲＡＭ１０２は、システム制御部１０１において実行される制御プログラムを実行する際のワークメモリや印刷データのバッファメモリとしての機能に加え、ホストとの間で送受信される各種データ（印刷データや各種制御データ）を一時的に格納するためのバッファメモリとしての機能を持つ。
【００１７】
ＲＯＭ１０３は、システム制御部１０１において実行される動作制御プログラムが格納される不揮発性のメモリであり、システム制御部１０１からの命令に従い、格納されている内容をシステムバス１１１上へ出力する。
【００１８】
画像処理部１０４は、画像データに対する色空間処理や、ガンマ補正処理、誤差拡散法による量子化処理等を行い、プリンタエンジンが印刷可能な二値化データの生成を行う。
【００１９】
操作部１０５は、電源のＯＮ／ＯＦＦを行うための電源ボタン、ユーザがプリンタ１００とホストとの間の通信状態を切り替えるオンラインボタン、印刷を途中でキャンセルするためのキャンセルボタンや、各種設定メニューを呼び出すためのメニューボタン、メニュー選択のための十字カーソルボタン等のボタンと、メニュー表示のための液晶表示装置や状態表示のためのLED等から構成される。
【００２０】
ＥＥＰＲＯＭ１０６は、プリンタ１００の動作状態や、各種の設定データを保持するために設けられている電気的に書き換え可能な不揮発性のメモリであって、シリアルインターフェース１０７によってシステム制御部１０１に対して接続されている。
【００２１】
エンジンインターフェース１０８は、プリントエンジン１０９とシステム制御部１０１とを接続し、両者間の各種コマンド、ステータス情報の送受信や、画像処理部１０４が生成するインク色毎のドットデータをプリントエンジン１０９に送信するために用いられる。
【００２２】
ホストインターフェース１１０は、プリンタ１００とホスト機器とを接続し、両者間の通信を実現する。すなわち、ホストインターフェース１１０は、ホストからの印刷データをシステム制御部１０１に対して渡したり、プリンタ１００のステータス情報をホスト装置へと送信したりするために用いられるもので、具体的には、ＵＳＢ（Ｕｎｉｖｅｒｓａｌ Ｓｅｒｉａｌ Ｂｕｓ）、ＩＥＥＥ１２８４、ＩＥＥＥ１３９４、ＩｒＤＡ等の各種インターフェース規格に則って構成される。
【００２３】
プリントエンジン１０９は、紙面に対して実際の印刷動作を行う記録ヘッド、およびインクタンク等のインク供給機構を搭載するキャリッジとその駆動機構、用紙の供給、搬送等を実現するための機構と、これらを制御する制御回路や各種センサー等によって構成される。
【００２４】
電源部１１２は、交流電源から供給される電流を直流に変換する回路やバッテリ、ＤＣ／ＤＣコンバータ等の回路で概略構成され、上述の各ブロックが動作するのに必要となる電力を供給する。ここで、電源部１１２の内部構成を説明するためのブロック図を図４に示す。図４において示してあるように、電源部１１２は、プリンタ１００を構成する各ブロックに対する電力の供給・停止を、制御部１０１からの制御信号によってブロック毎に個別に切り替えられるように構成されている。図４において、電源部１１２は商用交流電源からの入力を直流に変換する回路、およびＤＣ／ＤＣコンバータ等によって構成される電力供給部４０１、およびシステム制御部１０１からの制御信号よってＯＮ／ＯＦＦを制御されるＳＷ１、ＳＷ２（図中４０２、４０３）により構成されており、ＳＷ１、ＳＷ２を制御することによってプリントエンジンをはじめとした各ブロックに対する電力供給が、スタンバイ状態やスリープ状態などのプリンタの動作状態に応じて個別に制御可能な構成となっている。
【００２５】
リリースレバー状態監視部１１３は、小規模なマイクロプロセッサおよびメモリ（不図示）によって構成され、後述するリリースレバー開閉状態を検知するためのリリースレバー開閉検知スイッチに対して接続されており、リリースレバー開閉検知スイッチのＯＮ／ＯＦＦ状態を監視している。またリリースレバー状態監視部１１３およびリリースレバー開閉検知スイッチに対しては、プリンタ１００がスタンバイ状態であるかスリープ状態であるかに関わらず、電源が投入されている状態では常に電力が供給されるように構成されており、スリープ状態においてもリリースレバーの開閉状態を監視可能に構成されている。
【００２６】
図２は、本発明の実施形態におけるプリントエンジン１０９の概略構成を示すブロック図である。
【００２７】
図２において、プリントエンジン１０９はエンジン制御部２０１、ＲＡＭ２０２、ＲＯＭ２０３、紙搬送モータ制御回路２０４、紙搬送モータ２０５、紙搬送機構２０６、キャリッジモータ制御回路２０７、キャリッジモータ２０８、記録ヘッド制御回路２０９、記録ヘッド２１０の各部によって構成され、エンジンＩ／Ｆ１０８を介してシステム制御部１０１に接続されている。
【００２８】
次にプリントエンジン１０９の機能および動作概要について説明する。
【００２９】
エンジン制御部２０１は、プリントエンジン１０９全体の制御を行う部分であり、マイクロプロセッサやその他の周辺回路などから構成される。エンジン制御部２０１はROM２０３に格納されている動作制御プログラムを実行することにより、システム制御部１０１から受信したコマンド信号や画像情報の処理、図２で示す各ブロックに対するアクセス制御等を含めたプリントエンジン１０９全体の動作を制御する。またキャリッジモータ制御回路２０７を介してキャリッジモータ２０８を駆動し、キャリッジ２１１を移動させる。また、紙搬送モータ制御回路２０４を介して紙搬送モータ２０５を駆動し、搬送ローラ等の紙搬送機構２０６を動作させる。さらにエンジン制御部２０１は、RＯM２０３に格納されている各種情報に基づいて記録ヘッド制御回路２０９を制御して記録ヘッド２１０を駆動し、記録媒体上に画像の記録を行うように構成されている。
【００３０】
ＲＡＭ２０２は、エンジン制御部２０１において実行される制御プログラムを実行する際のワークメモリや、図１に示したシステム制御部１０１から受信した制御信号を格納、あるいはデータのバッファメモリとしての機能を持つ。
【００３１】
ＲＯＭ２０３は、エンジン制御部２０１において実行される動作制御プログラムが格納される不揮発性のメモリであり、エンジン制御部２０１からの命令に従い、格納されている内容をエンジン制御部２０１に対して出力する。
【００３２】
図３は、本発明の実施形態における、ロール上の記録媒体を搬送させながら画像記録を行うことが可能なインクジェットプリンタの一例を示す図である。
【００３３】
図３において、ロール紙３０１はユーザによってプリンタ本体に設けられたロール紙ホルダ（不図示）にセットされ、保持部材３０２によって回転可能な形で保持される。ロール紙３０１は、給紙ローラ３０３によってロール紙ホルダから引き出され、搬送ローラ３０４によって画像記録を行う記録ヘッド３０５の動作領域まで搬送される。記録ヘッド３０５による画像の形成は、ホストコンピュータから送られてくる印刷データに応じて行われる。なおプラテン３０６は、ロール紙を記録ヘッドに対して背面から支持するための支持部材である。なお本実施例では、記録方式としてインクジェット方式を用いた例を示してあるが、本発明はこれに限定されるものではない。他の記録方式としては例えば電子写真方式などを用いることが可能であり、この場合は記録ヘッド３０５の代わりに転写ローラなどが用いられる。
【００３４】
記録ヘッド３０５によって画像形成が行われたロール紙は、排紙ローラによってプリンタの筐体外へと排出される。画像形成が行われて筐体外へと排出されたロール紙は、例えば記録ヘッドの走査方向と並行に動作するカッター（不図示）を用いて画像形成領域の後端が切断され、自重によって機外に用意された所定の受け皿上に蓄積されるか、あるいは画像形成後のロール紙を巻き取るための巻き取り装置（不図示）に巻き取られて保持される。
【００３５】
また、プリンタ本体には、ロール紙３０１搬送時における斜行や画像記録実行時の紙の浮き上がりなどを抑制するためにロール紙を押さえつける機構が用意されている。すなわち図３において、リリースレバー３０９の位置に連動して搬送ローラ３０４および排紙ローラ３０７が図３中に示した上下の矢印方向に可動するようになっている。ここでリリースレバーが図３のＡの位置にある場合、搬送ローラおよび排紙ローラの上側のローラが用紙固定位置（図３中の実線の位置）にあってロール紙を押さえつけた状態となる。またリリースレバーが図３のＢの位置にある場合、搬送ローラおよび排紙ローラの上側のローラは解放位置（図３中の点線の位置）へと移動可能となるように構成されている。ここではリリースレバーを図３のＢの位置とすることにより、ユーザによるロール紙３０１の交換が可能な構成となっている。
【００３６】
上記リリースレバーの所定部には、リリースレバー開閉状態（リリースレバーが図３のＡの位置にある場合を“閉”、Ｂの位置にある場合を“開”状態とする）を検知するためのリリースレバー開閉検知スイッチ３１０が設けられており、リリースレバー３０９の開閉に応じてＯＮ／ＯＦＦが切り替わるようになっている。図３では、リリースレバー３０９が図３で示したＡの位置にある場合にスイッチＯＮ、Ｂの位置にある場合にスイッチＯＦＦとなる。このすなわちこのスイッチがＯＮであるか、ＯＦＦであるかによって、リリースレバーが用紙固定位置（図３のＡ）にあるか、解放位置（図３のＢ）にあるかを検知可能となっている。ここで、上記リリースレバー開閉検知スイッチ３１０の出力は、図７に模式的に示すように、先に説明したリリースレバー状態監視部１１３とエンジン制御部２０１の双方に接続されており、いずれの側からもリリースレバーの開閉を検知可能な構成となっている。本実施例においては、エンジン側はスリープ状態にある場合電源が遮断され、またシステム制御部も最低限の機能を除いて動作を停止する低消費電力状態にあるが、このような構成をとることにより、特にシステム制御部やプリントエンジン部がスリープ状態にある場合でも、システム制御部１０１側から上記リリースレバーの開閉検知が可能な構成となっている。
【００３７】
次に、本実施形態におけるプリンタ１００の動作を、図面を参照して詳細に説明する。
【００３８】
図５は、本実施例におけるプリンタ１００において実行される処理の内容を示すフローチャートである。
【００３９】
システム制御部１０１は、ステップＳ５０１において、スリープ状態へ移行するか否かを判断する処理を行う。ここでは、ホストコンピュータからの印刷要求やユーザによる操作部の操作が行われていない状態の継続時間を内部のタイマ等を用いて判断し、所定の時間以上印刷動作やユーザからの操作が行われなかった場合（ステップＳ５０１のＹ）は、ステップＳ５０２へと進み、それ以外の場合（ステップＳ５０１のＮ）はステップＳ５０１を繰り返す。
【００４０】
ステップＳ５０２では、システム制御部１０１はプリントエンジン１０９に対してスリープ移行コマンドを発行し、プリントエンジン内部におけるスリープ移行準備が終了したことを確認した後、図４に示したＳＷ１をＯＦＦに制御する指示を電源部に対して行うことにより、プリントエンジン１０９に対する電力供給を遮断する処理を行う。加えて、システム制御部内部で使用しない部分のクロックを停止する、ＲＡＭ２０２としてＤＲＡＭを用いている場合はこれをセルフリフレッシュモードに移行させる、といった処理を行ってスリープ状態へと移行する。ステップＳ５０２の終了後、ステップＳ５０３へ進む。
【００４１】
ステップＳ５０３では、リリースレバー状態監視部１１３はリリースレバー開閉検知スイッチの状態を監視することにより、リリースレバーが開状態にあるか否かを判断する処理を行う。ここで、スリープ中にリリースレバーが開状態にあると判断された場合（ステップＳ５０３のＹ）は、ステップＳ５０４へ進み、リリースレバーが開状態にない場合（ステップＳ５０３のＮ）は、ステップＳ５０３の処理内容を繰り返す。
【００４２】
ステップＳ５０４では、リリースレバー状態監視部１１３はスリープ中にリリースレバーが開状態になったことをそれが内部に備えるメモリに記憶しておく。
【００４３】
図６は、本実施例におけるプリンタ１００がスリープ状態から復帰する際に実行する処理の内容を表すフローチャートである。
【００４４】
初めにステップＳ６０１において、システム制御部１０１はホストコンピュータからの印刷要求やユーザによる操作部に対する操作の有無等、スリープ状態からの復帰要因があるか否かを判断する。ここでスリープ状態からの復帰要因が存在する場合（ステップＳ６０１のＹ）はステップＳ６０２へ進み、スリープ状態からの復帰要因が存在しない場合（ステップＳ６０１のＮ）は、復帰要因が発生するまでステップＳ６０１を繰り返す。
【００４５】
次にステップＳ６０２では、システム制御部１０１は電源部１１２に対して図４に示すＳＷ１をＯＮに制御する指示を行い、プリントエンジン１０９に対する電力供給を再開させる処理を行う。またシステム制御部内部で停止していたクロックの供給を再開する、ＲＡＭ２０２をセルフリフレッシュモードから復帰させるといった、スリープ状態からの復帰処理を開始する。ステップＳ６０２の終了後、ステップＳ６０３へ進む。
【００４６】
ステップＳ６０３では、システム制御部１０１はリリースレバー状態監視部１１３に対して問い合わせを行い、スリープ中にリリースレバーが開状態になったか否かを確認する。ここで、スリープ中にリリースレバーが開状態になったことが確認された場合（ステップＳ６０３のＹ）は、ステップＳ６０４へ進み、スリープ中は常にリリースレバーは閉じられていたと確認された場合（ステップＳ６０３のＮ）は、ステップＳ６０７へ進む。
【００４７】
ステップＳ６０４では、システム制御部１０１はエンジン制御部２０１に対し、スリープ中にリリースレバーが開状態となることがあった旨を通知し、ステップＳ６０５へ進む。
【００４８】
ステップＳ６０５において、エンジン制御部２０１はステップＳ６０４でシステム制御部１０１から通知された情報に基づき、用紙のずれ、および斜行の有無を検知する処理を実行し、ステップＳ６０６へ進む。
【００４９】
ステップＳ６０６では、エンジン制御部２０１は用紙のずれ、斜行の有無があるか否かを判定する。ここで用紙のずれや斜行有りと判定された場合（ステップＳ６０６のＹ）はステップＳ６０９へ進む。また用紙のずれや斜行が無しと判定された場合（ステップＳ６０６のＮ）は、ステップＳ６０７へと進む。
【００５０】
ステップＳ６０７では、システム制御部１０１およびエンジン制御部２０１は、スリープ状態から復帰する際における上述した用紙ずれ・斜行検知処理以外の処理についての終了判断を行う。ここで全ての復帰処理が終了したと判定された場合（ステップＳ６０７のＹ）はスタンバイ状態へ移行して処理を終了する。また、全ての復帰処理が完了していないと判定された場合（ステップＳ６０７のＮ）は、ステップＳ６０８に進む。
【００５１】
ステップＳ６０８では、復帰処理中にエラーが発生したか否かの判定を行う。用紙のずれや斜行以外のエラーとしては、例えば紙詰まりや用紙の残量不足といったものを挙げることができる。復帰処理中にエラーが発生したと判定された場合（ステップＳ６０８のＹ）は、ステップＳ６０９へ進み、エラーの発生がない場合はステップＳ６０７へと進んで以降の処理を繰り返す。
【００５２】
ステップＳ６０９では、ＬＣＤにエラー内容を表示してユーザに対してエラーを通知して用紙の位置あわせや詰まった用紙の除去などの物理的処理を行うよう促すといった所定のエラー処理を実行し、ステップＳ６１０へと進む。
【００５３】
ステップＳ６１０では、エラーのリカバリ処理が完了したか否かを判定し、リカバリ処理が完了したと判定された場合（ステップＳ６１０のＹ）は処理を終了する。エラーのリカバリ処理が完了していないと判定された場合（ステップＳ６１０のＮ）は、処理が完了するまでステップＳ６１０を繰り返す。
【００５４】
以上のように、本発明によれば、スリープ中におけるリリースレバーの開閉状態を監視してその結果を記憶しておき、スリープ中にリリースレバーが常に閉じられた状態にあった場合は用紙のずれおよび斜行検知の処理を省略するように制御を行うことで、プリントエンジン側の電源がＯＦＦとなっているスリープ状態から実際に印字可能な状態へと復帰する際の復帰時間を短縮することが可能となる。
【００５５】
なお、本発明は以上において説明した具体的な実施の形態に限定されるものではなく、本発明の要旨を逸脱しない範囲内において、様々に変更することが可能である。例えば上記実施例中では、ホストコンピュータから出力されるデータを記録するインクジェット記録装置を例に説明したが、本発明はこうした形態に限定されるものではなく、例えばスキャナと一体に組み合わされた複写機、ファクシミリ等に対しても適用可能である。
【図面の簡単な説明】
【００５６】
【図１】本発明の実施形態における、プリンタ装置の構成を示すブロック図である。
【図２】本発明の実施形態における、プリントエンジン１０９の概略構成を示すブロック図である。
【図３】本発明の実施形態における、ロール上の記録媒体を搬送させながら画像記録を行うことが可能なインクジェットプリンタの一例を示す図である。
【図４】本発明の実施形態における、電源部１１２の内部構成を説明するためのブロック図である。
【図５】本発明の実施形態におけるプリンタ１００において実行される処理の内容を示すフローチャートである。
【図６】本発明の実施形態における、プリンタ１００がスリープ状態から復帰する際に実行する処理の内容を表すフローチャートである。
【図７】本発明の実施形態における、リリースレバー開閉検知スイッチ３１０の出力の接続先を表す模式図である。
【符号の説明】
【００５７】
１００  プリンタ
１０１  システム制御部
１０２  ＲＡＭ
１０３  ＲＯＭ
１０４  画像処理部
１０５  操作部
１０６  ＥＥＰＲＯＭ
１０７  シリアルインターフェース
１０８  エンジンインターフェース
１０９  プリントエンジン
１１０  ホストインターフェース
１１１  システムバス
１１２  電源部
１１３  リリースレバー状態監視部
２０１  エンジン制御部
３０１  ロール紙
３０２  保持部材
３０３  給紙ローラ
３０４  搬送ローラ
３０５  記録ヘッド
３０９  リリースレバー
３１０  リリースレバー開閉検知スイッチ
Ｓ５０１〜Ｓ５０４  処理ステップ
Ｓ６０１〜Ｓ６０９  処理ステップ
【図１】
2007130923.tif 000003
【図２】
2007130923.tif 000004
【図３】
2007130923.tif 000005
【図４】
2007130923.tif 000006
【図５】
2007130923.tif 000007
【図６】
2007130923.tif 000008
【図７】
2007130923.tif 000009